(57)【要約】【課題】引き込み時の出し代を調整することができると共に、リリース時の出し代を調整することができ、かつマグネットによる吸着力を調整できるプッシュラッチ装置を提供する。【解決手段】プッシュラッチ装置１００は、ケース本体１０と、固定部材２０と、スライド部材３０と、第１の付勢手段としてのバネ４０と、ガイドピン５０と、第２の付勢手段としてのバネ５４とを備える。スライド部材３０は、スライド部本体３１と、負荷吸収バネ８０を介してスライド部本体３１の先端に回転可能に連結される円筒状の突出部本体６０と、該突出部本体６０の外周面に形成されたねじ部６１に螺合して回転可能に設けられたストッパー部材６５と、突出部本体６０の内周面に形成された雌ネジに螺合して回転可能に設けられ負荷吸収バネ８０を保持するスプリングホルダ７０とを有する。【選択図】        図１
2010242414.tif 000002
【特許請求の範囲】
【請求項１】
開口端と封止端とを有する筒状のケース本体と、
一端が軸を介して前記ケース本体の封止端に揺動可能に支持され、他端が係止部を有するガイドピンと、
前記ケース本体の内に軸線方向に移動可能に装着され、先端部が前記ケース本体の開口端から突出可能なスライド部材と、
前記スライド部材を前記ケース本体の開口端へ付勢する付勢手段とを備え、
前記スライド部材は、ガイドピンの係止部の走行を案内するガイド溝が形成されたスライド部本体と、弾性変形可能な連結部材を介してスライド部本体の先端に回転可能に連結される円筒状の突出部本体と、該突出部本体の外周面に形成されたネジに螺合して回転可能に設けられたストッパー部材と、突出部本体の内周面に形成された雌ネジに螺合して回転可能に設けられ前記連結部材を保持する保持部材とを有することを特徴とするプッシュラッチ装置。
【請求項２】
前記スライド部材が突出位置にある状態において、前記ストッパー部材を回転不能にする第１のロック手段を有することを特徴とする請求項１に記載のプッシュラッチ装置。
【請求項３】
前記第１のロック手段は、前記開口端の内側に凹凸状に形成された係止面と、前記ストッパー部材の前記開口端側の端面に形成され、前記係止面の凹凸と嵌合可能な凹凸端面とから構成され、
前記ストッパー部材は、前記係止面と嵌合する際に、前記ストッパー部材の回転が阻止されることを特徴とする請求項２に記載のプッシュラッチ装置。
【請求項４】
前記第１のロック手段によるロックが解除された状態で、前記保持部材を回転不能にする第２のロック手段を有することを特徴とする請求項１乃至３のいずれかに記載のプッシュラッチ装置。
【請求項５】
前記第２のロック手段は、前記スライド部本体の先端に形成された凹凸状の嵌合部と、前記保持部材の後端に形成され、前記嵌合部と嵌合可能な凹凸端面とから構成されることを特徴とする請求項４に記載のプッシュラッチ装置。
【請求項６】
前記突出部本体の先端にマグネット装着部を有し、前記マグネット装着部の外周面にネジが刻設され、前記外周面のネジに螺合する外層管材が設けられることを特徴とする請求項１乃至５のいずれかに記載のプッシュラッチ装置。
【発明の詳細な説明】
【技術分野】
【０００１】
本発明は、筒状のケース本体と内部に移動可能に装着され、ケース本体から突出可能な突出部を有するスライド部材を有し、ケース本体に対して、スライド部材の突出部を相対的に押し込むことにより、スライド部材がケース本体に対する突出位置と格納位置とに交互に配置されて保持され、開閉扉等を外側から軽く押すだけで開閉させることが可能なプッシュラッチ装置、特にマグネットプッシュラッチ装置に関するものである。
【背景技術】
【０００２】
プッシュラッチ装置（もしくはマグネットキャッチャ）は、ビデオデッキなどを収納する部分や下駄箱など家具の開き扉や自動車内の灰皿や小物入れの蓋等に幅広く採用されている。
【０００３】
例えば、ケース本体に永久磁石を付着した摺動体を発条により軸方向に摺動自在に弾発付勢させて嵌装し、摺動体の先端を押すことにより摺動体が出入するようにしたマグネットキャッチャが周知されている（例えば、特許文献１参照）。
【０００４】
特許文献１に開示されたマグネットキャッチャは、被取付物に取り付けた後で摺動体の前端位置を調整することは困難であり、もし調整しなければならない場合には、マグネットキャッチャ全体を被取付物に取り付けている取付ねじを緩めたり、取り外したりする必要がある。特に、このようなマグネットキャッチャは狭い場所に取り付けられる場合が多く、被取付物に取り付けられた後で取付ねじを緩める作業をすることは困難であるため、作業効率が悪い。
【０００５】
これを解決するために、可動体（摺動体）の前端位置を調整できるプッシュラッチ装置が提案されている（例えば、特許文献２参照）。
【０００６】
特許文献２に開示のプッシュラッチ装置は、弾性変形可能な樹脂材より成る角筒状のケース体と、ケース体１に嵌合挿入され、ケース体に対して相対的にスライド可能な可動体とを備えている。スライドされる可動体は、ケース体の前端部から大きく突出された位置（突出位置）と、ケース体の前端部から可動体の前端部のみが突出された位置（格納位置）とのいずれかの位置に配置されて保持される。
【０００７】
また、可動体の前端部には、その移動可能方向に沿って雌ネジが設けられていて、前記雌ネジにはネジ部材が螺合されていて、該ネジ部材を回動させることにより、その前端位置が前記雌ネジのネジピッチに対応する分だけ移動される。
【先行技術文献】
【特許文献】
【０００８】
【特許文献１】実開昭６３−９１６７５号公報
【特許文献２】特開２００８−１２１３５０号公報
【発明の概要】
【発明が解決しようとする課題】
【０００９】
しかしながら、上記した特許文献２に開示のプッシュラッチ装置は、可動体の前端位置（即ち、引き込み時の出し代）を微調整することしかできず、戸当たりゴムを避けたり、スライド蝶番を使用したりする際の戸先側隙間の均一化等に対応できないという問題点があった。
【００１０】
また、上記した従来のプッシュラッチ装置（もしくはマグネットキャッチャ）は、可動体の突出時の移動距離（即ち、リリース時の出し代）を調整することができないため、開扉時に指が入るスペースの調整ができない。そのため、リリース時の出し代を調整できるプッシュラッチ装置が望まれている。
【００１１】
また、上記した従来のプッシュラッチ装置（もしくはマグネットキャッチャ）は、先端に取り付けたマグネットと扉間の距離を調整することができない欠点もある。
【００１２】
さらに、開き戸の先端と引き出しに使用する場合は、マグネットと扉の離れていく条件が違うため、可動体の突出時に自動的に離れる吸着力が変化する。そのため、先端に取り付けたマグネットと扉間の距離を調整することができ、即ちマグネットによる吸着力を調整することができるプッシュラッチ装置が望まれている。
【００１３】
そこで、本発明は、引き込み時の出し代を調整することができると共に、リリース時の出し代を調整することができ、かつマグネットによる吸着力を調整できるプッシュラッチ装置を提供することを目的とする。
【課題を解決するための手段】
【００１４】
上記課題を解決するため、本発明に係るプッシュラッチ装置は、開口端と封止端とを有する筒状のケース本体と、一端が軸を介して前記ケース本体の封止端に揺動可能に支持され、他端が係止部を有するガイドピンと、前記ケース本体の内に軸線方向に移動可能に装着され、先端部が前記ケース本体の開口端から突出可能なスライド部材と、前記スライド部材を前記ケース本体の開口端へ付勢する付勢手段とを備え、前記スライド部材は、ガイドピンの係止部の走行を案内するガイド溝が形成されたスライド部本体と、弾性変形可能な連結部材を介してスライド部本体の先端に回転可能に連結される円筒状の突出部本体と、該突出部本体の外周面に形成されたネジに螺合して回転可能に設けられたストッパー部材と、突出部本体の内周面に形成された雌ネジに螺合して回転可能に設けられ前記連結部材を保持する保持部材とを有することを特徴とするものである。
【００１５】
例えば、前記スライド部材が突出位置にある状態において、ストッパー部材を回転不能にする第１のロック手段を有する。
【００１６】
また例えば、前記第１のロック手段は、前記開口端の内側に凹凸状に形成された係止面と、前記ストッパー部材の前記開口端側の端面に形成され、前記係止面の凹凸と嵌合可能な凹凸面とから構成され、前記ストッパー部材は、前記係止面と嵌合する際に、前記ストッパー部材の回転が阻止される。
【００１７】
また例えば、前記第１のロック手段によるロックが解除された状態で、前記保持部材を回転不能にする第２のロック手段を有する。
【００１８】
また例えば、前記第２のロック手段は、前記スライド部本体の先端に形成された凹凸状の嵌合部と、前記保持部材の後端に形成され、前記嵌合部と嵌合可能な凹凸端面とから構成される。
【００１９】
また例えば、前記突出部本体の先端にマグネット装着部を有し、前記マグネット装着部の外周面にネジが刻設され、前記外周面のネジに螺合する外層管材が設けられる。
【発明の効果】
【００２０】
本発明によれば、プッシュラッチ装置において、スライド部材は、ハート形状のガイド突部の外縁に沿った形状のガイド溝が形成されたスライド部本体と、弾性変形可能な連結部材を介してスライド部本体の先端に連結される円筒状の突出部本体と、該突出部本体の外周面に形成されたネジに螺合して回転可能に設けられたストッパー部材と、突出部本体の内周面に形成された雌ネジに螺合して回転可能に設けられ連結部材を保持する保持部材とを有することで、引き込み時の出し代を調整することができると共に、リリース時の出し代を調整することができる。そのため、戸当たりゴムを避けたり、スライド蝶番を使用したりする際の戸先側隙間の均一化等に対応できる。また、開扉時に指が入るスペースを形成することができ、使い勝手を大幅に向上することができる。
【００２１】
また、スライド部材が突出位置にある状態において、ストッパー部材を回転不能にする第１のロック手段を有するため、リリース時の出し代を簡単に調整することができる。
【００２２】
また、第１のロック手段によるロックが解除された状態で、保持部材を回転不能にする第２のロック手段を有するため、引き込み時の出し代を簡単に調整することができる。
【００２３】
さらに、突出部本体の先端にマグネット装着部を有し、マグネット装着部の外周面にネジを刻設し、そして該外周面のネジに螺合する外層管材を設けることで、先端に取り付けたマグネットと扉間の距離を調整することができ、即ちマグネットによる吸着力を簡単に調整することができる。
【図面の簡単な説明】
【００２４】
【図１】実施の形態のプッシュラッチ装置１００の構成を示す分解図である。
【図２】プッシュラッチ装置１００の構成を示すＸ−Ｘ、Ｙ−Ｙ断面図である。
【図３】引き込み時の出し代を調整する前後を示す断面図である。
【図４】引き込み時の出し代を調整する応用例を示す図である。
【図５】リリース時の出し代を調整する前後を示す断面図である。
【図６】リリース時の出し代を調整する応用例を示す図である。
【図７】プッシュラッチ装置１００のマグネットと扉間の距離を調整した状態を示す図である。
【図８】負荷吸収バネによる負荷吸収の状態を示す断面図である。
【発明を実施するための形態】
【００２５】
以下、本発明に係るプッシュラッチ装置を実施するための形態を、図を参照して説明する。
【００２６】
図１は、本発明の実施の形態のプッシュラッチ装置１００の構成を示す分解図である。図２は、プッシュラッチ装置１００の構成を示すＸ−Ｘ、Ｙ−Ｙ断面図である。図２において、（ａ）はガイドピンの揺動平面と平行するＸ−Ｘ断面図を示し、（ｂ）はＸ−Ｘ断面図と垂直するＹ−Ｙ断面図を示している。
【００２７】
図１および図２に示すように、プッシュラッチ装置１００は、ケース本体１０と、固定部材２０と、スライド部材３０と、第１の付勢手段としてのバネ４０と、ガイドピン５０と、第２の付勢手段としてのバネ５４とを備える。
【００２８】
ケース本体１０は、開口端と封止端とを有する円筒状に形成され、封止端は固定部材２０により封止されている。ケース本体１０の開口端に、開口がケース本体１０の内径より小さいフランジ１１を有し、このフランジ１１の内面に凹凸状に形成された係止面１１ａを有する。
【００２９】
固定部材２０は、ケース本体１０端部を封止する端部２１と、スライド部材３０を保持する保持部２２，２３とを有する。端部２１には、軸５３を挿入するための軸穴が設けられ、また、軸穴に対し垂直方向にバネ５４を装着するための穴が設けられている。固定部材２０にガイドピン５０が軸５３により揺動可能に支持されている。また、ガイドピン５０に対して付勢できるようにバネ５４が装着されている。
【００３０】
スライド部材３０は、スライド部本体３１と、弾性変形可能な連結部材である負荷吸収バネ８０を介してスライド部本体３１の先端に連結される円筒状の突出部本体６０と、該突出部本体６０の外周面に形成されたねじ部６１に螺合して回転可能に設けられたストッパー部材６５と、突出部本体６０の内周面に形成された雌ネジに螺合して回転可能に設けられているスプリングホルダ（保持部材）７０とを有する。
【００３１】
また、スライド部材３０は、ケース本体１０の内に軸線方向に移動可能に装着され、第１の付勢手段としてのバネ４０によりケース本体１０の開口端へ付勢される。また、突出部本体６０の先端がケース本体１０の開口端よりわずかに露出している。この露出長さｄはリリース時のストロークとなる。
【００３２】
また、スライド部材３０には、ガイドピン５０の係止部５１が走行するためのガイド溝（３１ａ，３１ｂ）が形成されている。ガイド溝（３１ａ，３１ｂ）は、ガイド突部３２によりスライド部材３０の突出部本体６０がケース本体１０の内へ押し込む過程に対応する往路３１ａとスライド部材３０の突出部本体６０がケース本体１０から突出する過程に対応する復路３１ｂに分割されている。復路３１ｂの出口にガイドピン５０の係止部５１の進入を阻止する段差部材３３が設けられる。段差部材３３は短辺３３ａが復路３１ｂの底面と同じ低い位置にされ、長辺３３ｂが短辺３３ａより高い位置、即ち、往路３１ａの底面より高い位置にされている。これにより、復路３１ｂの出口において、ガイドピン５０の係止部５１の進入を阻止する段差が形成される。また、往路３１ａと復路３１ｂの端部の間に凸部３１ｃが設けられている。この凸部３１ｃは、ガイドピン５０の係止部５１が直接通過するのを阻止できる高さを有すればよい。また、ガイド突部３２において、凸部３１ｃに対向する面に引掛部３２ａ，３２ｂおよび平面３２ｃが形成されている。引掛部３２ａ，３２ｂの高さはガイドピン５０の係止部５１が平面３２ｃで係止できるように係止部５１を受け止め可能な最小の高さとされる。
【００３３】
また、スライド部材３０の突出部本体６０と接続側に端部フランジ３４を有し、端部フランジ３４の端面に凹凸状の嵌合部３５が形成されている。この凹凸状の嵌合部３５は、突出部本体６０に設けられたスプリングホルダ７０の後端面に形成された対応の凹凸端面７２と嵌合することで、第２のロック手段としてスプリングホルダ７０を回転不能にすることができる。
【００３４】
バネ４０は、第１の付勢手段としてスライド部材３０をケース本体１０の開口端へ付勢するためのコイル状バネであり、ケース本体１０の内側に配置されている。バネ４０の一端が、固定部材２０の端部２１に当接し、他端がスライド部本体３１の端部フランジ３４により規制されている。
【００３５】
ガイドピン５０は、一端が軸穴５２を有し軸５３を介してケース本体１０の封止端に揺動可能に支持され、他端がガイド溝（３１ａ，３１ｂ）に走行する係止部５１を有する。係止部５１は短円柱状に形成されている。
【００３６】
バネ５４は、第２の付勢手段としてガイドピン５０の係止部５１をガイド溝（３１ａ，３１ｂ）の往路３１ａの終端位置から復路３１ｂの始端側へ付勢するためのコイル状バネであり、ケース本体１０の封止端に設けられた固定部材２０に軸５３に対し垂直方向に装着されている。バネ５４は、軸５３を支点としてガイドピン５０の係止部５１をガイド溝（３１ａ，３１ｂ）の往路３１ａの終端位置から復路３１ｂの始端側へ付勢するようになされる。
【００３７】
突出部本体６０は、中空円筒状で、内部に装着された連結部材としての負荷吸収バネ８０を介してスライド部材３０の一端に装着されている。負荷吸収バネ８０の外側にスプリングホルダ７０が設けられている。また、突出部本体６０の外周面には、ストッパー部材６５と螺合するためのねじ部６１と、外層管材としてのスリーブ６３と螺合するためのねじ部６２と形成されている。
【００３８】
また、突出部本体６０の先端にマグネット装着部を有し、このマグネット装着部に円柱状のマグネット６４が取り付けられている。このマグネット６４は、扉等のパネルＰに設けられた金属片Ｓを吸着することで、扉等を閉じた状態に保持する。また、スリーブ６３を回すことで、先端に取り付けたマグネットと扉間の距離を調整することが可能となる。
【００３９】
ストッパー部材６５は、内面にねじ部６１と螺合するための雌ねじが形成されたリング状のものである。ストッパー部材６５のケース本体１０の開口端に位置する端面が凹凸を有する凹凸端面６５ａである。この凹凸端面６５ａは、ケース本体１０の開口端にあるフランジ１１の内面に形成された係止面１１ａの対応の凹凸と嵌合することで、第１のロック手段としてストッパー部材６５を回転不能にすることができる。
【００４０】
スプリングホルダ７０は、突出部本体６０の中にねじ込んで装着されている。スプリングホルダ７０の後端面が凹凸を有する凹凸端面７２である。この凹凸端面７２がスライド部本体３１の端部フランジ３４の端面の凹凸状の嵌合部３５と嵌合するためのものである。
【００４１】
次に、プッシュラッチ装置１００の引き込み時の出し代を調整する方法について、図３を参照しながら説明する。
【００４２】
図３は、引き込み時の出し代を調整する前後を示す断面図である。図３（ａ）は、引き込み時の出し代を調整する前の状態を示している。図３（ｂ）は、引き込み時の出し代を調整する後の状態を示している。
【００４３】
図３（ａ）に示すように、引き込み時の出し代を調整する前では、スプリングホルダ７０が突出部本体６０の中にねじ込んで装着されている状態で、即ち、スプリングホルダ７０の後端と突出部本体６０の後端がほぼ同じ位置である。この状態では、引き込み時の出し代が最小である。
【００４４】
引き込み時の出し代の調整は、突出部本体６０の先端がケース本体１０から突出している状態で、突出部本体６０の先端を少し押し込み、ストッパー部材６５とケース本体１０の開口端の間の嵌合が外れる位置にして、そして、突出部本体６０を回すと、突出部本体６０がネジピッチに対応する分だけ先端方向へ移動される。この場合、スプリングホルダ７０の後端面に形成された凹凸端面７２がスライド部本体３１の端部フランジ３４の端面の凹凸状の嵌合部３５と嵌合しているため、スプリングホルダ７０が回転できない状態であり、一方、突出部本体６０が回転可能な状態である。そのため、突出部本体６０を回せることで、引き込み時の出し代の調整ができる。
【００４５】
図３（ｂ）に示すように、引き込み時の出し代を調整する後では、スプリングホルダ７０は、突出部本体６０の中から所定の長さＬ１だけ出ている状態である。この状態では、引き込み時の出し代がＬ１であり、そして、突出部本体６０の先端がケース本体１０の開口端より露出している長さはＤ１（Ｄ１＝ｄ＋Ｌ１）となる。ここで、ｄはリリース時のストロークである。
【００４６】
図４は、引き込み時の出し代を調整する応用例を示す図である。図４に示すように、筐体Ｎに蝶番Ｍを介して扉のパネルＰが設けられている。筐体Ｎの開口側にプッシュラッチ装置１００が取り付けられている。また、パネルＰと筐体Ｎの間に戸当たりゴムＢが設けられているため、隙間Ｄ１が形成されている。このように、戸当たりゴムＢを避けたり、スライド蝶番を使用したりする際に、プッシュラッチ装置１００の引き込み時の出し代を調整することで、戸先側隙間の均一化等に対応できる。
【００４７】
次に、プッシュラッチ装置１００のリリース時の出し代を調整する方法について、図５を参照しながら説明する。
【００４８】
図５は、リリース時の出し代を調整する前後を示す断面図である。図５（ａ）は、リリース時の出し代を調整する前の状態を示している。図５（ｂ）は、リリース時の出し代を調整する後の状態を示している。
【００４９】
図５（ａ）に示すように、リリース時の出し代を調整する前では、ストッパー部材６５が、突出部本体６０の後端にねじ込んで装着されている状態で、即ち、ストッパー部材６５の後端と突出部本体６０の後端がほぼ同じ位置である。この状態では、リリース時の出し代が最大である。
【００５０】
リリース時の出し代の調整は、突出部本体６０の先端がケース本体１０から突出している状態で、即ち、ストッパー部材６５の凹凸状に形成された凹凸端面６５ａとケース本体１０の開口端の係止面１１ａが嵌合する位置にして、そして、突出部本体６０を回すと、突出部本体６０がネジピッチに対応する分だけ後端方向へ移動される。この場合、凹凸端面６５ａと係止面１１ａが嵌合しているため、ストッパー部材６５が回転できない状態であり、一方、突出部本体６０が回転可能な状態である。そのため、突出部本体６０を回せることで、リリース時の出し代の調整ができる。
【００５１】
図５（ｂ）に示すように、リリース時の出し代を調整する後では、突出部本体６０は、ストッパー部材６５に対して所定の長さＬ２だけケース本体１０の中に入っている状態である。この状態では、リリース時の出し代がＬ２分だけ短くなり、そして、突出部本体６０の先端がケース本体１０の開口端より露出している長さはＤ２−Ｌ２となる。
【００５２】
図６は、リリース時の出し代を調整する応用例を示す図である。図６に示すように、筐体Ｎに蝶番Ｍを介して扉のパネルＰが設けられている。筐体Ｎの開口側にプッシュラッチ装置１００が埋め込まれている。開扉時に指が入るスペースを形成するため、隙間Ｄ２が必要となる。このような場合は、リリース時の出し代を調整することで、開扉時に指が入るスペースを形成することができ、使い勝手を大幅に向上することができる。
【００５３】
図７は、プッシュラッチ装置１００のマグネットと扉間の距離を調整した状態を示す図である。
【００５４】
上述した図５（ａ）に示すように、開扉状態では、ストッパー部材６５がケース本体１０の開口端にあるフランジ１１の内側に引っ掛かることでスライド部材３０の移動がストップされる。このとき、突出部本体６０の慣性力により扉とマグネット６４を離し、扉をさらに開きたいこともある一方、危険防止のために扉をその状態で保持させたい場合もある。これに対応するために、マグネット６４と扉の距離の調整機能が必要となる。
【００５５】
図７に示すように、突出部本体６０がケース本体１０に対して突出した位置にある際に、突出部本体６０を持ちながらスリーブ６３を回すと、スリーブ６３がマグネット６４の先端面より突出するようになる。これにより、マグネット６４と扉等のパネルＰ間の距離を調整することができ、即ち、マグネットによる吸着力を簡単に調整することができる。
【００５６】
このように、マグネット６４と扉との接触距離を調整可能にすることで、様々の取り付け対象に利用できる。例えば、開き戸の先端と引き出しに使用する場合は、マグネットと扉の離れていく条件が違うため、突出部本体６０の突出時に自動的に離れる吸着力が変化する。この場合、マグネット６４と扉等の距離を調整し、マグネットによる吸着力を調整することで対応できる。また、建具の条件などにもうまく適合させることができる。
【００５７】
図８は、負荷吸収バネによる負荷吸収の状態を示す断面図である。図８に示すように、例えば、閉扉状態で扉を一度押し込むことなく無理やり開けようとすると、マグネット６４が扉を保持する力が強いため、扉と離れる前にガイドピン５０への負荷が大きくなってガイドピン５０が破損する可能性がある。そのために、負荷を吸収する負荷吸収バネ８０が組み込まれている。無理やり開けようとする場合、負荷吸収バネ８０の変形により過大な負荷を吸収することで、ガイドピン５０の破損を回避することができる。
【００５８】
このように本実施の形態において、プッシュラッチ装置１００は、ケース本体１０と、固定部材２０と、スライド部材３０と、第１の付勢手段としてのバネ４０と、ガイドピン５０と、第２の付勢手段としてのバネ５４とを備える。スライド部材３０は、スライド部本体３１と、負荷吸収バネ８０を介してスライド部本体３１の先端に回転可能に連結される円筒状の突出部本体６０と、該突出部本体６０の外周面に形成されたねじ部６１に螺合して回転可能に設けられたストッパー部材６５と、突出部本体６０の内周面に形成された雌ネジに螺合して回転可能に設けられ負荷吸収バネ８０を保持するスプリングホルダ７０とを有する。
【００５９】
これにより、引き込み時の出し代を調整することができると共に、リリース時の出し代を調整することができる。そのため、戸当たりゴムを避けたり、スライド蝶番を使用したりする際の戸先側隙間の均一化等に対応できる。また、開扉時に指が入るスペースを形成することができ、使い勝手を大幅に向上することができる。
【００６０】
また、スライド部材３０が突出した位置にある状態において、ストッパー部材を回転不能にする第１のロック手段を有するため、リリース時の出し代を簡単に調整することができる。また、第１のロック手段によるロックが解除された状態でスプリングホルダ７０を回転不能にする第２のロック手段を有するため、引き込み時の出し代を簡単に調整することができる。
【００６１】
さらに、突出部本体６０の先端に取り付けたマグネット６４と扉間の距離を調整することができ、即ちマグネット６４による吸着力を簡単に調整することができる。
【００６２】
なお、上述したプッシュラッチ装置１００においては、第２の付勢手段としてガイドピン５０の係止部５１をガイド溝（３１ａ，３１ｂ）の往路３１ａの終端位置から復路３１ｂの始端側へ付勢するためのバネ５４が設けられているものについて説明したが、これに限定されるものではない。
【００６３】
また、上述したプッシュラッチ装置１００においては、第１のロック手段および第２のロック手段として凹凸面で嵌合する構成としたが、これに限定されるものではない。他のロック機構を用いてもよい。
【産業上の利用可能性】
【００６４】
この発明は、中空状の固定部材に可動部材を相対的に押し込むことにより、可動部材が固定部材に対する突出位置と格納位置とに交互に配置されて保持されるプッシュラッチ装置において、引き込み時の出し代を調整することができると共に、リリース時の出し代を調整することもできるようにする目的に利用できる。
【符号の説明】
【００６５】
１０  ケース本体
１１  フランジ
１１ａ  係止面
２０  固定部材
２１  端部
２２，２３  保持部
３０  スライド部材
３１  スライド部本体
３１ａ  往路（ガイド溝）
３１ｂ  復路（ガイド溝）
３１ｃ  凸部
３２  ガイド突部
３２ａ，３２ｂ  引掛部
３２ｃ  平面
３３  段差部材
３３ａ  短辺
３３ｂ  長辺
３４  端部フランジ
３５  嵌合部
４０  バネ
５０  ガイドピン
５１  係止部
５２  軸穴
５３  軸
５４  バネ
６０  突出部本体
６１，６２  ねじ部
６３  スリーブ
６４  マグネット
６５  ストッパー部材
６５ａ  凹凸端面
７０  スプリングホルダ
７２  凹凸端面
８０  負荷吸収バネ
１００  プッシュラッチ装置
Ｓ  金属片
Ｐ  パネル
【図１】
2010242414.tif 000003
【図２】
2010242414.tif 000004
【図３】
2010242414.tif 000005
【図４】
2010242414.tif 000006
【図５】
2010242414.tif 000007
【図６】
2010242414.tif 000008
【図７】
2010242414.tif 000009
【図８】
2010242414.tif 000010